(57)【要約】【課題】発光被り物に装着されている発光ダイオードを、単に他者に着用者の存在を喚起する視認装置としてだけではなく、着用者が照明装置として使用し得るようにする。【解決手段】鍔付き被り物の鍔１１の周縁１２の表裏間の周側面２５に輝点１３を配置して発光ダイオード１４を鍔１１に装着する。発光ダイオードを点滅させる電子回路基板１５と電池１６とスイッチ１７は、鍔１１に装着することが出来る。鍔１１を透明プラスチックによって構成し、発光ダイオード１４を鍔１１の周縁１２から離れて被り物本体２６に接近した部位に装着すると、発光ダイオード１４の光が透明プラスチックの鍔１１の内部を透過して鍔１１の周縁全体１２に現われ発光し、更に、その透明プラスチックに成る鍔１１に凹部３３を設けると、発光ダイオード１４の光が凹部３３において屈折し、付飾的輝点を構成するので、デザイン的に新規で付加価値の高い発光被り物が得られる。【選択図】図１
2009024283.tif 000002
【特許請求の範囲】
【請求項１】
鍔付き被り物の鍔（１１）の周縁（１２）の表裏間の周側面（２５）に輝点（１３）を配置して発光ダイオード（１４）を鍔（１１）に装着したことを特徴とする鍔付き発光被り物。
【請求項２】
発光ダイオード（１４）を点滅させる電子回路基板（１５）と電池（１６）とスイッチ（１７）が鍔（１１）に装着されている前掲請求項１に記載の鍔付き発光被り物。
【請求項３】
鍔（１１）が表面材（１８）と芯材（１９）と裏面材（２０）の順に重なった積層構造を成し、その芯材（１９）に電子回路基板（１５）が組み込まれている前掲請求項２に記載の鍔付き発光被り物。
【請求項４】
鍔（１１）が透明プラスチックによって構成されており、発光ダイオード（１４）が鍔（１１）の周縁（１２）から離れて被り物本体（２６）に接近した部位に装着されており、発光ダイオード（１４）の光が透明プラスチックの鍔（１１）の内部を透過して鍔（１１）の周縁（１２）に輝点（１３）を構成している前掲請求項１と２と３の何れかに記載の鍔付き発光被り物。
【請求項５】
多数条の骨桿（２７）が放射状に配置された骨枠（２８）によって鍔（１１）が構成されており、骨桿（２７）の放射状配置の中心部に発光ダイオード（１４）が配置されている前掲請求項４に記載の鍔付き発光被り物。
【請求項６】
透明プラスチックに成る鍔（１１）に凹部（３３）が設けられており、その凹部（３３）が付飾的輝点を構成している前掲請求項４と５の何れかに記載の鍔付き発光被り物。
【発明の詳細な説明】
【技術分野】
【０００１】
本発明は、発光装置を具備する帽子、サンバイザー、ヘルメット、笠等の発光被り物に関するものである。
【背景技術】
【０００２】
発光被り物の発光装置には発光ダイオード（ＬＥＤ素子）が使用されており、被り物の頭頂部（例えば、特許文献１参照）、外周部（例えば、特許文献２、３参照）、後頭部（例えば、特許文献４、５、６参照）、前頭部（例えば、特許文献７、８、９参照）に発光ダイオードの輝点が配置されている。
【０００３】
【特許文献１】実開昭５９−１８９８３４号公報
【特許文献２】特開平１１−３２９００３号公報
【特許文献３】登録実用新案第３０２６３９８号公報
【特許文献４】特開平０６−０５７５１１号公報
【特許文献５】特開平０９−３０２５１６号公報
【特許文献６】特開平１０−００８３１９号公報
【特許文献７】特開平０８−１００３１８号公報
【特許文献８】実開昭６１−１７６２２４号公報
【特許文献９】実開昭６４−００７２２４号公報
【発明の開示】
【発明が解決しようとする課題】
【０００４】
従来の発光被り物は、頭部を包む被り物本体の外面に発光ダイオードの輝点が配置されているので、その着用者の存在を示す視認装置としての機能を十分に発揮しているものと認められる。
しかし、発光ダイオードを一種の照明装置として見るとき、従来の発光被り物は、その着用者にとっては照明装置にはなり難い。
即ち、被り物本体の頭頂部や外周部、或いは、後頭部が発光しても、それを着用する者にとっては格別周囲が照明されることにはならない。
【０００５】
その点、輝点を前頭部に配置した発光被り物（上記特許文献７、８、９参照）は、着用者にとっても照明装置として機能するかのように見える。
しかし、その発光被り物には鍔が付いているので、見ようとする対象物に目を近付けて見るときは、その対象物が鍔の陰に隠れて発光ダイオードに照らし出されず、その発光ダイオードは、照明装置としての機能を格別発揮することにはならない。
【０００６】
そこで本発明は、発光ダイオードが照明装置としての機能を有する点に着目し、発光被り物を単に他者に着用者の存在を喚起する視認装置としてだけではなく、着用者にとって照明装置として使用し得るようにすることを目的とする。
【課題を解決するための手段】
【０００７】
本発明に係る発光被り物は、鍔付き被り物の鍔１１の周縁１２の表裏間の周側面２５に輝点１３を配置して発光ダイオード１４を鍔１１に装着したことを第１の特徴とする。
【０００８】
本発明に係る発光被り物の第２の特徴は、上記第１の特徴に加えて、発光ダイオード１４を点滅させる電子回路基板１５と電池１６とスイッチ１７が鍔１１に装着されている点にある。
【０００９】
本発明に係る発光被り物の第３の特徴は、上記第１および第２の何れかの特徴に加えて、鍔１１が表面材１８と芯材１９と裏面材２０の順に重なった積層構造を成し、その芯材１９に電子回路基板１５が組み込まれている点にある。
【００１０】
本発明に係る発光被り物の第４の特徴は、上記第１、第２および第３の何れかの特徴に加えて、鍔１１が透明プラスチックによって構成されており、発光ダイオード１４が鍔１１の周縁１２から離れて被り物本体２６に接近した部位に装着されており、発光ダイオード１４の光が透明プラスチックの鍔１１の内部を透過して鍔１１の周縁１２に輝点１３を構成している点にある。
【００１１】
本発明に係る発光被り物の第５の特徴は、上記第１、第２、第３および第４の何れかの特徴に加えて、多数条の骨桿２７が放射状に配置された骨枠２８によって鍔１１が構成されており、骨桿２７の放射状配置の中心部に発光ダイオード１４が配置されている点にある。
【００１２】
本発明に係る発光被り物の第５の特徴は、上記第１、第２、第３、第４および第５の何れかの特徴に加えて、透明プラスチックに成る鍔１１に凹部３３が設けられており、その凹部３３が付飾的輝点を構成している点にある。
【発明の効果】
【００１３】
本発明では、発光ダイオード１４の輝点１３を鍔１１の周縁１２の表裏間の周側面２５に配置したので、輝点１３の光２３が、着用者の目２１に直接入ることがなく、着用者を眩惑させない。
その光２３は、着用者の左右の視線２２・２２が交わる前方に向けて直進し、その直進方向に位置する対象物２４を映し出すので、対象物２４は着用者にはっきりと捕らえられる。
輝点１３は、目２１から離れた鍔１１の周縁１２に位置するので、輝点１３を対象物２４に極く接近させても、対象物２４と目２１が触れ合うことはなく、目２１の焦点を対象物２４に合わせることが出来る。
そのように、輝点１３を対象物２４に極く接近させて見ることが出来るので、発光ダイオード１４には光量が微弱なものも使用することが出来る。
【００１４】
鍔１１は被り物の中でも最も硬い部分であり、又、鍔１１を硬くしても硬くし過ぎることはなく、発光ダイオード１４を装着したが故に鍔１１が硬くなっても何ら不都合は生じない。
却って、鍔１１を硬くすれば、発光ダイオード１４が鍔１１に確り保護されることになり、従って、発光ダイオードが破損しないように保護するための補強・保護材が不要となり、その補強・保護材を使用したが故に、鍔１１が不格好なものになったり、発光被り物が着用し難いものになることもコスト高になることもなく、通常の被り物と同様に体裁が整って商品価値があり、着用し易く、耐用寿命の長い発光被り物を経済的・効率的に得ることが出来る。
【００１５】
又、鍔１１が被り物の中でも最も硬い部分なので、電子回路基板１５や電池１６、スイッチ１７等の発光装置の部材を鍔１１に装着することが出来る。
そして、鍔１１は、被り物の着脱時や向きを変える時など、着用者の手が最も触れ易い部位であるから、鍔１１にスイッチ１７を装着すれば、極く自然にスイッチ１７を操作することが出来、スイッチ１７の操作において煩わしさを感じさせることもない。
【００１６】
更に、鍔１１が被り物の中でも最も硬い部分なので、鍔１１を表面材１８と芯材１９と裏面材２０の順に重なった積層構造にすると、電子回路基板１５を芯材１９に代用することが出来、発光ダイオードの適用によって被り物の部品点数の増加を招かず、発光被り物のコスト低減を図ることが出来る。
【００１７】
本発明では、鍔１１を透明プラスチックによって構成し、発光ダイオード１４を鍔１１の周縁１２から離れて被り物本体２６に接近した部位に装着したので、発光ダイオード１４の光が透明プラスチックの鍔１１の内部を透過して鍔１１の周縁１２に現われ、鍔１１の周縁全体が発光する発光被り物が得られる。
【００１８】
本発明では、鍔１１を多数条の骨桿２７が放射状に配置された透明プラスチックの骨枠２８によって構成し、その骨桿２７の放射状配置の中心部に発光ダイオード１４を配置したので、発光ダイオード１４の光が各骨桿２７・２７・２７………の先端に現われ、その骨桿２７の条数に応じた多数の輝点１３が鍔１１の周縁１２に沿って点在する発光被り物が得られる。
【００１９】
本発明では、透明プラスチックに成る鍔１１に設けた凹部３３において、発光ダイオード１４の光が屈折して現われ、その凹部３３が付飾的輝点を構成するので、斬新で人目を惹き易く、デザイン的に新規で付加価値の高い発光被り物が得られる。
【発明を実施するための最良の形態】
【００２０】
発光ダイオード１４は周縁１２から離れて被り物本体２６に接近した部位に配置し、発光ダイオード１４と輝点１３の間を光ファイバーで繋ぐことが出来る。即ち、光ファイバーの先端をもって輝点１３とすることが出来る。
鍔１１にアクリル樹脂やスチロール樹脂等の透光性の高い透明プラスチックを適用する場合は、鍔自体に光ファイバーの機能が付与されるので、光ファイバーは不要となる。
鍔１１に透明プラスチックを使用する場合、発光ダイオード１４を被り物本体２６に接近させて装着することが出来、周縁全体１２を輝点１３（発光面）とすることが出来る。即ち、周縁全体１２が発光面となる。
【００２１】
勿論、鍔１１に透明プラスチックを使用する場合、図３に示すように、鍔１１を多数条の骨桿２７が放射状に配置された団扇の骨枠２８のように構成することによって、周縁１２に複数箇所に輝点１３を点在させることも出来る。
その複数条の骨桿２７・２７・２７………を、プラスチック射出成形機を使用して骨枠２８として一体成形する場合、その放射状に配置されて隣り合う骨桿２７と骨桿２７の分岐点に発光ダイオード１４からの光が当たると、その光は分岐点において屈折して骨枠２８の表面に現われるので、その分岐点も輝点３０を構成することになる。
又、隣り合う骨桿２７と骨桿２７の間を補強桿３１で繋ぐ場合、その補強桿３１と骨桿２７との交点でも光が屈折して骨枠２８の表面に現われるので、その交点も輝点３２を構成することになる。
更に、窪みや貫通孔、或いは、溝等の凹部３３を骨桿２７に設けるときは、その凹部３３の内部壁面でも光が屈折し、その凹部３３も輝点（３３）を構成することになる。
【００２２】
骨桿２７や補強桿３１に囲まれる凹部や空隙３５にはスペーサーを嵌め込むことが出来る。
骨枠２８の表裏には、表面材１８や裏面材２０を貼り合わせることが出来る。
しかし、骨枠２８は、その骨桿２７や補強桿３１に囲まれる凹部や空隙３５にはスペーサーを嵌め込むことなく、そのまま鍔１１として使用することも出来る。
そのように、透明プラスチックによって鍔１１を形成する場合は、骨桿２７や補強桿３１、或いは、凹部３３を模様状に配置することによって、斬新で人目を惹き易く、デザイン的に新規で付加価値の高い発光被り物を得ることが出来る。
被り物本体２６は、骨桿２７や補強桿３１に囲まれる凹部や空隙３５のある骨枠２８と同様に、鍔１１と一体成形することも出来る。
【００２３】
発光ダイオードは、鍔１１の周縁１２に沿って複数個装着することも出来る。
従って、光量の微弱な発光ダイオードでも本発明に適用することが出来る。
市販の発光ダイオード１４は半球形や球形を成し、その外径は２〜４ｍｍになっている。一方、在来の被り物の鍔１１の厚みｔは、概して２〜４ｍｍになっている。
従って、発光ダイオード１４を装着しても、鍔１１が異様に厚くなることはない。
又、多数の発光ダイオードを適用するとしても、それらは鍔１１の周縁１２に沿って配置されるので、発光被り物が嵩張って見映えの悪いものになったり、着用し難くなるようなこともない。
【００２４】
本発明において、発光ダイオード１４は、両眼の視線２２・２２が交わる前方を照明するものであるから、多数の発光ダイオードを装着するとしても、少なくとも１個の発光ダイオードは鍔の中央部に配置される。
【００２５】
本発明では、発光ダイオードを鍔に装着するので、帽子やヘルメットのように頭部全体を覆う被り物の他に、頭部を覆う部分のないサンバイザーにも適用することが出来、鍔があるのであれば、八巻にも本発明を適用することが出来る。
鍔１１は、三日月形を成すものに限らず、麦藁帽子や三度笠、花笠等のように円形を成し、被り物本体２６の全周を囲むものであってもよい。
【００２６】
夜釣り用や警備用のように水に濡れ易い状況下で使用される発光被り物では、適宜防水処理が施される。
発光ダイオードは、鍔１１の他に被り物本体２６の後頭部にも装着し、他者に着用者の存在を喚起する視認性を高めることも出来る。
【００２７】
本発明は、鍔１１の周縁１２の表裏間の周側面２５に輝点１３を配置することを必須の要件とし、鍔１１を表面材１８と芯材１９と裏面材２０との積層構造とし、芯材１９に電子回路基板１５と電池１６とスイッチ１７を装着することを好ましい実施態様とする。
しかし、電子回路基板１５や電池１６、スイッチ１７等の付属品は、鍔の裏面に装着することも出来、又、鍔以外の被り物本体２６の部分に装着することも出来る。
【図面の簡単な説明】
【００２８】
【図１】本発明に係る発光被り物の斜視図である。
【図２】図１に示す発光被り物の一部切截拡大斜視図である。
【図３】本発明に係る発光被り物の鍔の平面図である。
【符号の説明】
【００２９】
１１：鍔
１２：周縁
１３：輝点
１４：発光ダイオード
１５：電子回路基板
１６：電池
１７：スイッチ
１８：表面材
１９：芯材
２０：裏面材
２１：目
２２：視線
２３：光
２４：対象物
２５：周側面
２６：被り物本体
２７：骨桿
２８：骨枠
３０：輝点（分岐点）
３１：補強桿
３２：輝点（交点）
３３：輝点（凹部）
３５：凹部・空隙
ｔ  ：厚み
【図１】
2009024283.tif 000003
【図２】
2009024283.tif 000004
【図３】
2009024283.tif 000005